(57)【要約】 【課題】コンピューターシャーシにおけるコンピューター素子に取り付けられるシャーシカバーを提供する。【解決手段】対応するドアが開かれる場合、コンピューター素子をコンピューターシャーシから容易に挿入し又は取り外すことができるように、シャーシカバーは、コンピューター素子の上方に位置する複数のドアを有してよい。シャーシカバーは、コンピューター素子を囲む気流通路を定義するように成形されてよい。ドアは、シャーシカバーを枢転して開き、摺動して開き、又は係入したりそこから抜け出るように配置されてよい。【選択図】図２Ａ
2020126579.tif 000002
【特許請求の範囲】
【請求項１】
コンピューターシャーシと、
前記コンピューターシャーシの中に設けられる１つ又は複数の素子と、
少なくとも１つの被覆素子を生じるために少なくとも１つの前記素子を覆うように前記コンピューターシャーシの中に設けられるシャーシカバーと、を備え、
前記シャーシカバーが、少なくとも１つのドア及び開口を含み、
前記開口が、前記少なくとも１つの被覆素子に位置し、
前記開口及び前記少なくとも１つのドアが、開放位置及び閉鎖位置を提供するように配置され、
前記開放位置が、前記シャーシカバーを再位置決めせずに前記少なくとも１つの被覆素子を挿入し又は取り外すことを可能にし、且つ前記閉鎖位置が前記少なくとも１つの被覆素子を挿入し又は取り外すことを禁止するコンピューター装置。
【請求項２】
前記シャーシカバーは、前記少なくとも１つの被覆素子を囲む少なくとも１つの気流通路を定義するように配置される請求項１に記載のコンピューター装置。
【請求項３】
前記少なくとも１つのドアが閉鎖位置にある場合、前記少なくとも１つのドアは、前記シャーシカバーの複数の気流表面を定義する請求項１又は２に記載のコンピューター装置。
【請求項４】
前記少なくとも１つのドアを前記シャーシカバーに取り付ける結合機構を更に備える請求項１〜３の何れか１項に記載のコンピューター装置。
【請求項５】
前記結合機構は、前記少なくとも１つのドアが前記閉鎖位置と前記開放位置との間で転換する場合に前記シャーシカバーに沿って摺動することを可能にする請求項４に記載のコンピューター装置。
【請求項６】
前記結合機構は、前記少なくとも１つのドアが前記少なくとも１つの被覆素子の長さに沿って前記コンピューターシャーシから離れるように枢転するヒンジ機構を含む請求項４又は５に記載のコンピューター装置。
【請求項７】
前記少なくとも１つのドアは、ケーブルフックを更に含む請求項１〜６の何れか１項に記載のコンピューター装置。
【請求項８】
前記ケーブルフックは、ケーブルが前記少なくとも１つの素子に接続されることを可能にする請求項７に記載のコンピューター装置。
【請求項９】
前記少なくとも１つの素子は、コンピューター記憶装置、グラフィックス処理ユニット、中央処理ユニット及びコンピューターファンの中の少なくとも１つを含む請求項８に記載のコンピューター装置。
【請求項１０】
それぞれ少なくとも１つのコンピューター素子にわたって延びるように構成される少なくとも１つの開口と、
それぞれ空気を前記少なくとも１つのコンピューター素子の周りにガイドするように構成される少なくとも１つの気流通路と、
それぞれ前記少なくとも１つの開口の中の１つに対応し、且つ開放位置及び閉鎖位置を提供するように配置される少なくとも１つのドアと、を備え、
前記開放位置が前記シャーシカバーを再位置決めせずに前記少なくとも１つのコンピューター素子を挿入し又は取り外すことを可能にし、且つ前記閉鎖位置が前記少なくとも１つのコンピューター素子を挿入し又は取り外すことを禁止するシャーシカバー。
【発明の詳細な説明】
【技術分野】
【０００１】
本開示は、コンピューター装置に収納されるコンピューター素子のアクセスを可能にするシャーシカバーに関する。
【背景技術】
【０００２】
コンピューターのシャーシは、各種類のコンピューター素子を収容するためのスロットを提供する。カバーは、コンピューター素子を保護することができる。また、カバーは、外気や破片と被覆素子との相互作用を防ぐことができる。また、カバーは、空気がコンピューターのシャーシを通過するようにガイドすることもできる。例えば、カバーは、外気と被覆素子との相互作用を防ぐと共に、冷却を促進するように、内部気流を被覆素子の上方にガイドすることができる。従来のカバーは、一般的に、コンピューターシャーシの単一の素子に接続される。カバーは、シャーシの全幅に広がって、コンピューター素子の若干の列を覆ってもよい。
【発明の概要】
【発明が解決しようとする課題】
【０００３】
しかし、このような従来のカバーは、特に、ユーザーが修理や交換のために覆われる素子をアクセスしようとする場合、重く扱いにくく、使用が不便である。覆われる何れの素子をアクセスしようとする場合、シャーシからカバー全体を取り外さなければならない。従って、１つの素子のみを交換しようとする場合、時間がかかり且つ不便である。
【０００４】
従って、シャーシカバー全体を取り外せずに、覆われる１つ又は複数の素子のアクセスを可能にするカバーが望まれている。
【課題を解決するための手段】
【０００５】
本開示の一部の実施例によれば、コンピューターシャーシと、コンピューターシャーシの中に設けられる１つ又は複数の素子と、少なくとも１つの被覆素子を生じるために少なくとも１つの素子を覆うようにコンピューターシャーシの中に設けられるシャーシカバーと、を備え、シャーシカバーが、少なくとも１つのドア及び開口を含み、開口が、少なくとも１つの被覆素子に位置し、開口及び少なくとも１つのドアが、開放位置と閉鎖位置を提供するように配置され、開放位置が、シャーシカバーを再位置決めせずに少なくとも１つの被覆素子を挿入し又は取り外すことを可能にし、且つ閉鎖位置が少なくとも１つの被覆素子を挿入し又は取り外すことを禁止するコンピューター装置を提供する。
【０００６】
本開示の一部の実施例によれば、シャーシカバーは、少なくとも１つの被覆素子を囲む少なくとも１つの気流通路を定義するように配置される。
【０００７】
本開示の一部の実施例によれば、少なくとも１つのドアが閉鎖位置にある場合、少なくとも１つのドアは、シャーシカバーの複数の気流表面を定義する。
【０００８】
本開示の一部の実施例によれば、ドアは、シャーシカバーの中の少なくとも１つの第２の溝部に対応する少なくとも１つの第１の溝部を更に含み、少なくとも１つの第１の溝部が、少なくとも１つの第２個の溝部によってシャーシカバーに摺動可能に接続されるように配置される。
【０００９】
本開示の一部の実施例によれば、少なくとも１つのドアをシャーシカバーに取り付ける結合機構を更に備える。
【００１０】
本開示の一部の実施例によれば、結合機構は、少なくとも１つのドアが閉鎖位置と開放位置との間で転換する場合にシャーシカバーに沿って摺動することを可能にするように構成される。
【００１１】
本開示の一部の実施例によれば、結合機構は、少なくとも１つのドアが少なくとも１つの被覆素子の長さに沿ってコンピューターシャーシから離れるように枢転するヒンジ機構を含む。
【００１２】
本開示の一部の実施例によれば、結合機構は、少なくとも１つのドアにおける第１のコネクタ及びシャーシカバーにおける第２のコネクタを含み、第１のコネクタ及び第２のコネクタが係合位置に係止するように配置される。
【００１３】
本開示の一部の実施例によれば、少なくとも１つのドアは、ケーブルフックを更に含む。
【００１４】
本開示の一部の実施例によれば、ケーブルフックは、ケーブルが少なくとも１つの素子に接続されることを可能にする。
【００１５】
本開示の一部の実施例によれば、少なくとも１つのコンピューター素子は、コンピューター記憶装置、グラフィックス処理ユニット、中央処理ユニット及びコンピューターファンの中の少なくとも１つを含む。
【００１６】
本開示の一部の実施例によれば、それぞれ少なくとも１つのコンピューター素子にわたって延びるように構成される少なくとも１つの開口と、それぞれ空気を少なくとも１つのコンピューター素子の周りにガイドするように構成される少なくとも１つの気流通路と、それぞれ少なくとも１つの開口の中の１つに対応し、且つ開放位置及び閉鎖位置を提供するように配置される少なくとも１つのドアと、を備え、開放位置がシャーシカバーを再位置決めせずに少なくとも１つのコンピューター素子を挿入し又は取り外すことを可能にし、且つ閉鎖位置が少なくとも１つのコンピューター素子を挿入し又は取り外すことを禁止するシャーシカバーを提供する。
【図面の簡単な説明】
【００１７】
添付の図面は、本開示の実施例を例示して説明し、且つ明細書と共に本開示の原理を解釈し説明することに用いられる。添付図面は、例示的な実施例の主な特徴を図式的に示すことを意図している。図面は、実際の実施例の特徴の各々を表すことを意図しておらず、描かれた素子の関連寸法を描くことも意図しなく、そして一定の縮尺で描かれていない。
【図１Ａ】先行技術による従来のコンピューターシャーシ及びシャーシカバーを示す。
【図１Ｂ】先行技術による素子を取り外し可能な従来のコンピューターシャーシを示す。
【図２Ａ】本開示の実施例による例示的なコンピューターシャーシ及びシャーシカバー素子を示す。
【図２Ｂ】本開示の実施例による開放位置にあるドアを有する例示的なコンピューターシャーシ及びシャーシカバー素子を示す。
【図２Ｃ】本開示の実施例によるドアに位置する例示的なコネクタを示す。
【図２Ｄ】本開示の実施例による例示的なコネクタの設計を示す。
【図３Ａ】本開示の実施例による開放位置にある２つのドアを有する例示的なシャーシカバーを示す。
【図３Ｂ】本開示の実施例による取り外し可能なドアを有する例示的なシャーシカバーを示す。
【図４】本開示の実施例による追加の装飾を有する例示的なシャーシカバーを示す。
【発明を実施するための形態】
【００１８】
本開示を説明する添付図面に合わせて参照し、全ての添付図面において、同じ参照番号は類似又は同等な素子を表すように用いられる。添付図面は、比例して示されておらず、本開示を説明するためのものだけである。本開示の若干の態様を説明するように、説明用の下記の例示適用を参照されたい。理解すべきなのは、本開示を完全に理解させるために、複数の具体的な細部、関係、及び方法が述べられることである。しかしながら、当業者であれば、１つ又は複数の具体的な細部もなく又は他の方法を使用して、本開示を実施できることは容易に認識される。他の場合、本開示を不明にしないように、公知の構造や動作は示されていない。ある工程が異なる順序で発生し、及び／又は他の工程や事象と同時に発生してもよいので、本開示は、例示される工程や事象の順序により制限されない。また、本開示による方法は、例示される全ての工程や事象がなければ実施できないわけでもない。
【００１９】
本開示は、コンピューターシャーシにおけるコンピューター素子に取り付けられるシャーシカバーを示す。対応するドアが開かれる場合、コンピューター素子をシャーシから容易に挿入し又は取り外すことができるように、シャーシカバーは、コンピューター素子の上方に位置する複数のドアを有してよい。また、シャーシカバーは、コンピューター素子周囲の気流通路を定義するように成形されてよい。従って、シャーシカバーには、ユーザーが被覆素子に隣接するシャーシカバーにおけるドアを開けることで、被覆素子とアクセスすることを可能にする。従って、被覆素子を交換又は修理する場合、ユーザーは、シャーシカバー全体を取り外す必要がない。
【００２０】
図１ａは、先行技術による従来のコンピューター装置１００Ａを示す。コンピューター装置１００Ａは、コンピューターシャーシ１１０、シャーシカバー１２０、複数列のコンピューター素子１３１、１３２、１３３、１３４、及び気流通路１４０ａ、１４０ｂを含んでよい。コンピューターシャーシ１１０は、複数列のコンピューター素子１３１、１３２、１３３、１３４のハウジングとされてよい。複数列のコンピューター素子１３１、１３２、１３３、１３４の長さやピッチは均一に示されるが、列のサイズを変更し且つ列における素子を変えてもよい。例示的な素子としては、コンピューター記憶装置、グラフィックス処理ユニット、中央処理ユニット又はコンピューターファンを含んでよい。ある場合において、異なる列は、異なるコンピューター素子を収納することができる。
【００２１】
コンピューター装置１００Ａは、シャーシカバー１２０を含んでよい。シャーシカバー１２０は、単一の素子であり、コンピューター素子１３１、１３２、１３３、１３４の列を覆うように、コンピューターシャーシ１１０に取付けられてよい。このようなシャーシカバーは、気流とほこりを防止するように保護を提供してよく、且つコンピューターシャーシ１１０において気流通路１４０ａ及び１４０ｂを提供するように成形（ｓｈａｐｅｄ）してよい。気流通路１４０ａ及び１４０ｂは、有効な素子冷却を提供するように、気流をコンピューター素子１３１、１３２、１３３、１３４の列の上方又は周りにガイドすることができる。
【００２２】
図１Ｂは、従来のコンピューター装置１００Ｂを示し、図１ａに類似した数多くの素子及び標示を有する。注意すべきなのは、図１Ｂは、シャーシカバー１２０（図１ａ）のないコンピューターシャーシ１１０を示すことである。シャーシカバーは、コンピューターシャーシ１１０のスロットから任意の素子（例えば、素子１３３ａ）を取り外すことができるように、完全に取り外される必要がある。多くの場合、ユーザーが単一の素子を交換又は修理しようとする可能性がある。シャーシカバー１２０全体を取り外すのは、重く扱いにくく、不便である可能性がある。いくつかの場合において、シャーシカバー１２０は、時間及び／又は別のツールを要する複雑又は安全な付加方法を有する可能性がある。例えば、コンピューター素子１３１、１３２、１３３、１３４の列における特定素子は、ケーブル、電池、シャーシカバー１２０に取り付けられ又は関連する付加素子を有する可能性がある。単一の素子（例えば、素子１３３ａ）を交換するために、これらのケーブル、電池及び他の素子により、シャーシカバー１２０の取り外しがより複雑且つ時間がかかるようになる。従って、図１ａ及び図１Ｂは、従来のシャーシカバーの不便を示し、シャーシカバーを完全に取り外さないと、ユーザーとシャーシにおける単一の素子とのアクセスは不可能である。
【００２３】
従来のシャーシカバーの制限に対して、本開示は、ドア又は他のタイプの出し入れ特徴を有するシャーシカバー素子を提供する。図２Ａは、本開示の実施例による例示的なコンピューター装置２００Ａを示す。コンピューター装置２００Ａは、コンピューター装置１００Ａ及びコンピューター装置１００Ｂの標記に類似した素子（図１ａ〜図１Ｂ）を含み、且つ、シャーシカバー２５０を更に含んでよい。例えば、素子１００Ａ及び１００Ｂにおいて、シャーシカバー２５０は、必要に応じて気流がコンピューター装置２００Ａを貫通するようガイドするように成形されてよい。しかし、本開示の実施例によれば、シャーシカバー２５０は、ドア２５２、２５４、２５６及び２５８を含むように設計される。ドア２５２、２５４、２５６及び２５８は、コンピューター装置２００Ａからシャーシカバー２５０全体を取り外せずに、コンピューター素子１３１、１３２、１３３、１３４の列の出し入れを可能にするように、要所に置かれてよい。図２Ａに示すように、シャーシカバー２５０は、更に、複数の列コンピューター素子１３１、１３２、１３３、１３４の間に気流通路１４０ａ及び１４０ｂを提供することができる。ドア２５２、２５４、２５６及び２５８は、各列の形や大きさに応じてサイズを決めるように、各列のコンピューター素子１３１、１３２、１３３、１３４に置かれてよい。また、ドア２５２、２５４、２５６及び２５８は、コンピューター素子１３１、１３２、１３３、１３４の列に沿う気流表面を定義するように閉鎖位置にあって、システムの要求に応じて素子の上方又は下方で気流をガイドしてよい。図２Ａに示すように、ドア２５２、２５４、２５６及び２５８が閉鎖位置にある場合、すべての素子は出し入れ不可能である。
【００２４】
図２Ａに４つのドア２５２、２５４、２５６及び２５８が示されるが、シャーシカバー２５０に、より多く又はより少ないドアを含んでもよい。また、コンピューター素子１３１、１３２、１３３、１３４の列の一部は、その素子にドアを有しなくてもよい。コンピューター素子１３１、１３２、１３３、１３４の列は、例えば、コンピューター記憶装置、グラフィックス処理ユニット、中央処理ユニット及びコンピューターファンのような素子を有してよい。図２Ａに示すコンピューター素子１３１、１３２、１３３、１３４の各列の何れも均一であるが、これらの列は、その有する素子によって異なる大きさやサイズを有してもよい。ドア２５２、２５４、２５６及び２５８は、対応するコンピューター素子１３１、１３２、１３３、１３４の列のサイズによって変わってよい。
【００２５】
図２Ｂは、本開示の実施例による例示的なコンピューター装置２００Ｂを示し、ドア２５４が開放位置にある。コンピューター装置２００Ｂは、図２Ａに類似した標記素子を含む。図２Ｂは、コンピューター素子２３２ａをコンピューター素子１３２の列から取り外すことを可能にするように、ドア２５４がコンピューターシャーシ１１０から開放位置に枢転可能であることを示す。従って、シャーシカバー２５０は、コンピューターシャーシ１１０に保持されてよく、単独したドア２５２、２５４、２５６及び２５８は、コンピューター素子のアクセス、挿入又は取り外しを可能にするように、開放位置に転換することができる。
【００２６】
図２Ｂは、ドア２５４のヒンジ動き（ｈｉｎｇｉｎｇ  ｍｏｖｅｍｅｎｔ）を示す。ヒンジ動きは、結合機構（ｃｏｕｐｌｉｎｇ  ｍｅｃｈａｎｉｓｍ）によって提供されることができ、且つドア２５２、２５４、２５６又は２５８のコンピューター素子の長さに沿う枢転を可能にする。図３Ａ〜図３Ｂは、取り付けられるドアの移動やメカニズムを検討する。一つの具体な実施例において、結合機構は、ヒンジ機構を含む。
【００２７】
図２Ｃは、本開示の実施例によるドアに位置する例示的なコネクタの斜視図２００Ｃを示す。例えば、ドア（例えば、ドア２５８）は、コネクタ素子２７０ａ及び２７０ｂによってシャーシカバー２５０に接続される縁部２７２を有してよい。図２Ｄは、コネクタ素子２７０を近くで見る図面を示し、各コネクタ素子２７０が雄型コネクタ２７４及び雌型コネクタ２７６を有してよい。ドア（例えば、ドア２５８）が開かれる場合、雄型コネクタ２７４は、雌型コネクタ２７６を回って枢転することができる。いくつかの実施例において、雄型コネクタ２７４は、（例えば、雌型コネクタ２７６に係入し又はそこから抜け出ることにより）雌型コネクタ２７６に取り外し可能に接続され又はそこから離れることができる。
【００２８】
図２Ｄにコネクタ素子２７０の例示的な設計が示されるが、ドア２５２、２５４、２５６又は２５８のシャーシカバー２５０に対する接続や枢転を可能にする設計であれば、本開示は、如何なる設計を使用してもよいことが想定される。
【００２９】
図３Ａは、本開示の実施例による例示的なシャーシカバー及びドア素子を示し、２つのドア２５４及び２５６が開放位置にある。図３Ａは、図２Ａ及び図２Ｂの標記に類似した素子を含む。図３Ａは、ドア２５４の開きがドア２５６に干渉しないように、ドア２５４及び２５６が互いに反対する方向へ枢転することを示す。従って、開けられたドア２５４及び２５６は、それぞれ開口２６４及び２６６を生じることができる。また、ドア２５８及び２５２は、コンピューターシャーシ１１０の対応する第１の壁１１１又は第２の壁１１２（何れも図２Ｂにある）に干渉しないように、コンピューターシャーシ１１０の中まで内側へ枢転するように配置されてもよい（図１Ａ〜図１Ｂ）。
【００３０】
図３Ｂは、本開示の実施例による取り外し可能なドアを有する例示的なシャーシカバー及びドア素子３００Ｂを示す。図３Ｂは、本開示の幾つかの例示において、ドア２５２、２５４、２５６及び２５８を例えば摺動動きによってシャーシカバー２５０から完全に取り外すことができることを示す。このような摺動動きによれば、外部ツールは必要としない。他の例示において、ドア２５２、２５４、２５６及び２５８は、第１の縁部２５２ａ、２５４ａ、２５６ａ及び２５８ａに沿う第１のコネクタを有してよく、第１のコネクタがシャーシカバー２５０の内縁部２６２ａ、２６４ａ、２６６ａ及び２６８ａに沿って対応する第２のコネクタに接続される。いくつかの配置において、ドア２５２、２５４、２５６及び２５８は、第１のコネクタ及び第２のコネクタによってシャーシカバー２５０における位置に係入されることができる。
【００３１】
他の例示において、第１の縁部２５２ａ、２５４ａ、２５６ａ及び２５８ａは、内縁部２６２ａ、２６４ａ、２６６ａ及び２６８ａに沿う第２の溝部に対応する第１の溝部を有してよい。これらの溝部により、ドア２５２、２５４、２５６及び２５８がシャーシカバー２５０に摺動可能に接続されることが可能になる。
【００３２】
他の例示において、各ドア２５２、２５４、２５６及び２５８は、複数の区画を含んでよい。ドア２５２、２５４、２５６及び２５８の各々の区画は、開口２６２、２６４、２６６及び２６８を露出させるように、同じドアの隣接する他の区画に折り畳まれることができるように配置される。例えば、区画は、気流通路１４０ａ及び１４０ｂ（何れも図３Ａにある）に折り畳まれることができる。
【００３３】
他の例示において、ドア２５２及び２５４を開放位置と閉鎖位置との間で転換する場合に気流通路１４０ａで摺動するように配置してよい。ドア２５６及び２５８は、気流通路１４０ｂで類似的に摺動するように配置されてもよい。
【００３４】
図４は、本開示の実施例による追加の装飾を有する例示的なシャーシカバーを示す。例えば、シャーシカバー２５０は、ケーブルフック２８０及び付属部品（ａｔｔａｃｈｍｅｎｔ）２９０を有してよい。ケーブルフック２８０は、ドア２５４及び２５８にあるように示されるが、ドア２５２、２５４、２５６又は２５８の何れに位置してもよい。各ドアに２本のケーブルフック２８０が示されるが、ドア２５２、２５４、２５６又は２５８に任意の数のケーブルフック２８０を有してよい。ケーブルフック２８０は、ケーブルがドア２５２、２５４、２５６及び２５８の頂上部に接続されること、又はケーブルがドア２５２、２５４、２５６及び２５８を貫通してコンピューター素子１３１、１３２、１３３、１３４の列に接続されることを可能にすることができる。付属部品２９０は、電池ホルダ、又はコンピューター素子用の任意のホルダであってよい。
【００３５】
上記で、本開示の様々な例示を説明したが、それらは単に例として示され、制限するためのものではないことは、理解すべきである。精神や範囲から逸脱せずに、ここでの開示内容に基づいて、開示される例示に多くの変化を加えてよい。そのため、本開示の広さや範囲は、例えば、上記の如何なる実施例によっても限定されない。それに対して、本開示の範囲は、下記の特許請求の範囲やその同等物により定義されるべきである。
【００３６】
１つ又は複数の実施例によって本開示を説明し記述したが、当業者であれば、この明細書及び添付図面を読んで理解する場合に同等な変更や修正を想到することがある。また、若干の実施例における１つのみに対して本開示の特定な特徴を開示しても、所定又は特定な如何なる適用に対して望ましく及び有利である特徴であれば、他の実施例の１つ又は複数の他の特徴に組み合わせてもよい。
【００３７】
ここで使用される術語は、特定な例を説明するためのものだけであり、本開示を制限するものではない。前後の文で別に明確に示されない限り、ここで使用される「一」、「一つ」、又は「前記」のような単数形も、複数の意図を含もうとする。また、実施形態及び／又は特許請求の範囲で使用される「含有」、「備える」、「有する」、「持つ」、「ある」、又は変形のような術語も、「含む」の術語と類似な意味となるように含まれる。
【００３８】
特に定義されない限り、本文に用いられる全ての術語（技術及び科学術語を含む）は、当業者が一般的に理解されるものと同じ意味を有する。また、常用辞典で定義される用語は、関連分野の文書の前後の文でのそれらの意味を有する意図として解釈されるべきであるが、このように明確に定義されない限り、理想的又は過度に正式的な意味として解釈されるべきではない。
【００３９】
上記の概要は、本開示の各実施例又は各態様を表すことを意図したものではない。それに対して、前記の開示内容は、本明細書に記載する新規の態様や特徴の実施例を提供するにすぎない。添付図面及び添付の特許請求の範囲に組み合わせると、本開示を実施するための代表的な実施例やモードについての上記の詳細な説明から、本開示の上記の特徴や利点及び他の特徴や利点は、明らかになる。
【符号の説明】
【００４０】
１００Ａ、１００Ｂ、２００Ａ、２００Ｂ：コンピューター装置
１１０：コンピューターシャーシ
１１１：第１の壁
１１２：第２の壁
１２０、２５０：シャーシカバー
１３１、１３２、１３３、１３４、２３２ａ：コンピューター素子
１３３ａ、３００Ａ、３００Ｂ：素子
１４０ａ、１４０ｂ：気流通路
２５２、２５４、２５６、２５８：ドア
２５２ａ、２５４ａ、２５６ａ、２５８ａ：第１の縁部
２６２、２６４、２６６、２６８：開口
２６２ａ、２６４ａ、２６６ａ、２６８ａ：内縁部
２７０、２７０ａ、２７０ｂ：コネクタ素子
２７２：縁部
２７４：雄型コネクタ
２７６：雌型コネクタ
２８０：ケーブルフック
２９０：付属部品
【図１Ａ】
2020126579.tif 000003
【図１Ｂ】
2020126579.tif 000004
【図２Ａ】
2020126579.tif 000005
【図２Ｂ】
2020126579.tif 000006
【図２Ｃ】
2020126579.tif 000007
【図２Ｄ】
2020126579.tif 000008
【図３Ａ】
2020126579.tif 000009
【図３Ｂ】
2020126579.tif 000010
【図４】
2020126579.tif 000011